(57)【特許請求の範囲】
【請求項１】
送信された遠隔制御信号を受信する受信部と、
上記遠隔制御信号のノイズ成分に対して減衰を与えるフィルタ部と、
上記フィルタ部を介して受信された上記遠隔制御信号を復号する制御部とを備え、
上記復号により電源遮断指令と判断すると低電力状態になり、フィルタ制御信号を出力して上記フィルタ部を作動させ、上記制御部を制御して受信待機状態にさせるとともに、上記遠隔制御信号に含まれる一定幅のパルスを検出して低電力状態を解除し、上記フィルタ制御信号を出力して上記フィルタ部の機能を停止させることを特徴とする遠隔制御受信装置。
【請求項２】
上記制御部は上記低電力状態を解除して上記フィルタ部を停止させたのち、所定時間内に遠隔制御信号がないときノイズと判定して、再度低電力状態になり、上記フィルタ制御信号と異なる第二のフィルタ制御信号を出力して上記フィルタ部のノイズ除去をさらに強めるとともに上記制御部を制御して受信待機状態にさせることを特徴とする請求項１の遠隔制御受信装置。
【請求項３】
上記低電力状態は上記制御部のクロック又は命令実行の停止状態であることを特徴とする請求項１又は２の遠隔制御受信装置。
【請求項４】
送信された遠隔制御信号を受信する受信部と、上記遠隔制御信号のノイズ成分に対して減衰を与えるフィルタ部と、上記フィルタ部を介して入力された上記遠隔制御信号を復号する制御部を備えて、
復号により電源遮断命令と判断すると低電力状態となるステップと、
上記フィルタ制御信号を出力して上記フィルタ部を作動させるステップと、
上記制御部を制御して受信待機状態にさせるステップとを含み、
低電力状態の解除は上記遠隔制御信号に含まれる一定幅のパルスを検出するステップと、
上記フィルタ部を停止させるステップを含む遠隔制御方法。
【請求項５】
上記低電力状態を解除して上記フィルタ部を停止させるステップの後所定時間内に遠隔制御信号がないときノイズと判定して再度低電力状態となるステップと、
上記フィルタ制御信号と異なる第二のフィルタ制御信号を出力するステップと、
上記制御部を制御して受信待機状態にさせるステップと、
を含む請求項４の遠隔制御方法。
【請求項６】
上記低電力状態は上記制御部のクロック又は命令実行の停止状態であることを特徴とする請求項４又は請求項５の遠隔制御方法。
【発明の詳細な説明】
【０００１】
【発明の属する技術分野】
本発明は、電子機器が動作していないとき能動化されている待機用電源部（スタンバイ電源）を備えている電子機器に有用な電子機器の電源装置に関するものである。
【０００２】
【従来の技術】
近年の電子機器はその多くが、例えば赤外線で変調された光を受信する受信部を備え、遠隔制御送信機から放射された前記赤外線を受信することによって電子機器の電源を操作する遠隔制御機能を備えており、この遠隔制御機能を利用するために電子機器が休止状態となっているときでも、電子機器の電源のオン／オフ、及び電子機器のタイマーや、最終操作情報等をデータとして保持するための電源が待機電源（スタンバイ電源）として備えられている。
【０００３】
従来、スタンバイ電力を削減するため、スタンバイ時に電子機器に内蔵の制御用マイコンをスリープモードに入れ、消費電力を減らす方法がある。スリープモードは、電子機器がスタンバイ状態になった場合、内蔵のマイコンがマイコンの全ての機能を司るクロックを停止し、マイコンの作動を停止させるというモードであり、省エネルギという点から、よく利用されている機能である。マイコンがスリープモードにあるとき、ある信号がマイコンに入力されると、マイコンは自動的に通常モードに復帰する機能を備えている。このスリープモードから通常モードに復帰することを「ウエイクアップ」という。
【０００４】
【発明が解決しようとする課題】
電子機器が、遠隔制御信号送信機からの制御信号により、スタンバイ状態になり、次いで、内蔵の制御用マイコンが低電力モードによってスリープ状態になった場合に、蛍光灯などの外光によるノイズを受光部が受信するとリモコン信号と誤認することがある。すると、制御用マイコンがウエイクアップし、制御用マイコンがリモコン信号を復号できるように、その間電源が供給され、無駄な電力を消費するスリープモードからウエイクアップモードに移行してしまうことがある。この場合、消費電力が下がらず、本来の目的である、スタンバイ時の低電力消費が実現できない。
【０００５】
【課題を解決するための手段】
本発明は、上記の課題に鑑み、受光部と制御部と間にフィルタを接続して、このフィルタをスタンバイ中に作動させ、低電力状態にあるマイクロプロセッサを外光ノイズにより復帰させないようにすることで電力消費を抑える。また、制御用マイコンが動作状態になると前記フィルタを解放して、リモコン信号に応答できるようにする。
【０００６】
請求項１の発明は、送信された遠隔制御信号を受信する受信部と、上記遠隔制御信号のノイズ成分に対して減衰を与えるフィルタ部と、上記フィルタ部を介して受信された上記遠隔制御信号を復号する制御部とを備え、上記復号により電源遮断指令と判断すると低電力状態になり、フィルタ制御信号を出力して上記フィルタ部を作動させ、上記制御部を制御して受信待機状態にさせるとともに、上記遠隔制御信号に含まれる一定幅のパルスを検出して低電力状態を解除し、上記フィルタ制御信号を出力して上記フィルタ部の機能を停止させることを特徴とする遠隔制御受信装置である。
【０００７】
請求項２の発明は、上記制御部は上記低電力状態を解除して上記フィルタ部を停止させたのち、所定時間内に遠隔制御信号がないときノイズと判定して、再度低電力状態になり、上記フィルタ制御信号と異なる第二のフィルタ制御信号を出力して上記フィルタ部のノイズ除去をさらに強めるとともに上記制御部を制御して受信待機状態にさせることを特徴とし、請求項３の発明は、上記低電力状態は上記制御部のクロック又は命令実行の停止状態であることを特徴とするする遠隔制御受信装置である。
【０００８】
請求項４の発明は、送信された遠隔制御信号を受信する受信部と、上記遠隔制御信号のノイズ成分に対して減衰を与えるフィルタ部と、上記フィルタ部を介して入力された上記遠隔制御信号を復号する制御部を備えて、復号により電源遮断命令と判断すると低電力状態となるステップと、上記フィルタ制御信号を出力して上記フィルタ部を作動させるステップと、上記制御部を制御して受信待機状態にさせるステップとを含み、低電力状態の解除は上記遠隔制御信号に含まれる一定幅のパルスを検出するステップと、上記フィルタ部を停止させるステップを含む遠隔制御方法である。
【０００９】
請求項５の発明は、上記低電力状態を解除して上記フィルタ部を停止させるステップの後所定時間内に遠隔制御信号がないときノイズと判定して再度低電力状態となるステップと、上記フィルタ制御信号と異なる第二のフィルタ制御信号を出力するステップと、上記制御部を制御して受信待機状態にさせるステップと、を含み、請求項６の発明は、上記低電力状態は上記制御部のクロック又は命令実行の停止状態であることを特徴とする遠隔制御方法である。
【００１０】
【発明の実施の形態】
本発明の実施の形態の第１の例を図１、２に基づいて説明する。図１は、電子機器、例えばテレビジョン、ビデオデッキ等における電源系統の概要を示し、特に遠隔制御受信装置となる本発明の第１の実施の形態の回路図であり、図２は、遠隔制御受信装置の遠隔制御信号処理のフローチャートである。
【００１１】
本実施の形態の遠隔制御受信装置１０は、遠隔制御信号送信機、例えば、リモートコントローラからの制御信号を受光する（図示なし、以下「リモコン」という）遠隔制御信号受光部１１、抵抗２１とコンデンサ２２からなるローパスフィルタ２０、クロック源３１を有する制御用マイコン３０、トランス５１及び整流回路５２によって形成されているスタンバイ用の電源５０、電子機器７１に対して作動電源を供給するメイン電源７０をオンするためのリレースイッチ４０、メイン電源スイッチ（オールオフスイッチ）９０、ＡＣコンセント６０、リモコン信号により電子機器７１を制御するためにマイコン３０から電子機器７１に制御信号を送るためにマイコン３０と電子機器７１のシステムコントローラ７２を結線している信号線７３と、から構成されている。
遠隔制御受信装置１０は、ＡＣコンセント６０にて交流電源と接続され、スタンバイ電源５０のトランス５１及び整流回路５２から出力される５Ｖの直流電圧が制御用マイコン３０の端子Ｔ4に供給されている。
制御用マイコン３０は、ウエイクアップモードのとき、リモコンによる制御が可能となり、図示しない端子から、電子機器本体にリモコン操作信号が出力される。
【００１２】
次に、フローチャートを示す図２、受信信号波形図を示す図３によって、第１の実施の形態の作用を説明する。
制御用マイコン３０は、初期設定状態（ｔ0）として、メイン電源オフ（パワーオフ）の待機状態であるスリープモードに設定され（図２、ステップＳ１）、同時にトランジスタＴｒがオンとなっていることによってフィルタ部２０が高域の信号成分を減衰することにより（図２、ステップＳ２）、ｔ0〜ｔn2間ではリモコンからのリモコン信号待機状態（図２、ステップＳ３）となっている。このスリープモードの時、制御用マイコン３０は、クロック停止の状態にあり、リモコン信号入力端子Ｔ1を兼ねたウエイクアップ端子に入力されるウエイクアップ信号（リモコンのガイドパルス信号）に応答するようになっている。リモコンのウエイクアップ信号は、後で述べるように一定幅のパルス（本実施の形態の場合、２．４ｍｓの幅を持つパルス）であって、そのパルス幅を検出して、ウエイクアップ信号と判別する。
【００１３】
なお、制御用マイコン３０は、スリープモードの際、クロック３１を停止せずに、命令実行の停止（Ｈａｌｔ  Ｉｎｓｔｒｕｃｔｉｏｎ、命令停止）の状態としてもよく、この場合、制御用マイコン３０は、ウエイクアップした直後からリモコン信号を復号することにより、リモコン信号の復号を通常と変わらずに行える。
【００１４】
このスリープモード期間で、受光部１１から入力された信号は、図３のフィルタ出力波形にみられるようにフィルタ部２０によって高域信号成分が減衰し、蛍光灯等の外光ノイズは取り除かれる。このため、制御用マイコン３０は、受光部１１からのノイズ出力をリモコン信号と誤認することがなくり、ノイズによりウエイクアップモードになることがなくなる。したがって、制御用マイコン３０は、スリープモードが維持され、低消費電力が持続される。（図３、時点ｔn1、ｔn2）
【００１５】
次に、図３に示すように、リモコンから送られたリモコンガイドパルスを含むパワーオン信号が到達すると、この幅広のパルスは、フィルタ２０で十分減衰されず、そのフィルタ出力が制御用マイコン３０の端子Ｔ1に入力される。制御用マイコン３０は、一定幅を持つリモコンガイドパルスの立ち下がり点ｔ1を認識して、ステップＳ４のウエイクアップモードに移行する。
【００１６】
制御用マイコン３０はウエイクアップすると、ステップＳ５でフィルタ制御端子Ｔ2よりフィルタ制御信号を出力して、トランジスタＴｒをオフすることにより、フィルタオフの状態にし、通常のリモコン受信モードとなる。そして、受光された信号はそのまま制御用マイコン３０に端子Ｔ1を介して入力される。続いて入力されている信号がステップＳ６で、リモコンからのパワーオン信号（電源オン）であると判断されると、これを復号して、ステップＳ７で、リレー制御用端子Ｔ3よりリレーオン信号を出力し、トランジスタ４１がオンされ、リレースイッチ４０がオンし、メイン電源７０に電力が供給される。電子機器は、電源オンの状態となり、以後はステップＳ８、Ｓ９、Ｓ１０に移り、リモコンの操作により、電子機器が制御される。
【００１７】
しかし、リレースイッチ４０がオンしているとき、リモコンからパワーオフ信号が送られると、制御用マイコン３０は、ステップＳ１に戻り、再びフィルタ部をオンし、スリープモードに設定され、初期設定状態に戻り、低電力消費モードとなる。
なお、本実施の形態においては、電子機器のパワーキー８０を押すことによっても、制御用マイコン３０をウエイクアップさせることができる。
【００１８】
図４は、本発明の第２の実施の形態の遠隔制御受信装置の一部を示した回路図を示し、受光部１１と制御用マイコン３０の周辺の回路図のみを示し、同一符号は第１実施の形態と同様なので、その説明を省略する。図５はそのフローチャートである。
図４に示すように、制御用マイコン３０には、ウエイクアップモードに移行しないと応答しないリモコン信号入力用端子Ｔ1、ウエイクアップ信号に応答するする外部入力割込用端子Ｔ5が設けられている。
【００１９】
以下、図５のフローチャートによって、本実施の形態の受信フローを説明する。ステップＳ２１のスリープモードにおいて、ステップＳ２２において受光部１１からリモコンのウエイクアップ信号の有無を判断しており、先の図３に示したようにウエイクアップ信号が入力されると、フィルタ２０、端子Ｔ5を介して、制御用マイコン３０に該信号が入力され、ステップ２３で制御用マイコン３０はウエイクアップし、同時に端子Ｔ1は、ステップＳ２４でイネーブルとなるように制御される。したがって、継続するリモコンからの信号は、直接制御用マイコン３０にリモコン入力端子Ｔ1を介して入力される。ステップＳ２５で、この信号がパワーオン信号であるときは端子Ｔ3からリレースイッチ４０をオンとする信号が出力され、メイン電源７０がオンになる。以後の制御用マイコン３０の操作は、第１実施の形態と同様なので、説明は省略するが、この実施の形態の場合、フィルタ部のオン／オフの制御は不要となる。
【００２０】
図６は、本発明の第３の実施の形態を示し、受光部１１と制御用マイコン３０の周辺の回路図のみを示し、他は第１の実施の形態と同様なので、省略する。
図６に示すように、第３の実施の形態では、外部入力割込用端子Ｔ5には、受光部１１の信号がフィルタ部２０を通過した出力と、パワーキー８０の出力及び第２のメイン電源スイッチ（オールオフスイッチ）９１の出力等がＯＲ回路３３を介して入力されるようになっている。パワーキー８０は、プッシュボタン式のスイッチで、制御用マイコン３０をスリープモードからウエイクアップさせるための電子機器本体に設けられたスイッチである。第２のメイン電源スイッチ９１は、電子機器７１の各種表示器（スタンバイ状態や各種モードの表示）の表示を全てオフするスイッチで、トグルスイッチ等で構成されており、図１に示すメイン電源スイッチ９０と機械的に連動してオン／オフするようになっている。
【００２１】
第３の実施の形態は、リモコン送信機の信号が供給されているフィルタ部２０からの出力のみならず、パワーキー８０の出力及び第２のメイン電源スイッチ９１の出力のいずれかが、ＮＡＮＤ回路３３に入力されれば、外部入力割込用端子Ｔ5がＬからＨレべルに変化し、制御用マイコン３０はウエイクアップする。パワーキー８０用の入力端子Ｔ7及び第２のメイン電源スイッチ９１用の入力端子Ｔ6に信号が入力されると、制御用マイコンは端子Ｔ3からリレーオン信号を出力し、メイン電源７０がオンする。
【００２２】
図７は、本発明の第４の実施の形態の回路図の一部を示し、受光部１１と制御用マイコン３０の周辺の回路図のみを示し、他は第１の実施の形態と同様なので、省略する。  遠隔制御受信装置は、スリープモードに設定されているときは、端子Ｔ2の出力によって、スイッチ２４は、接点Ｓ1側に接続されている。したがって、受光部１１からの信号はフィルタ部２０を通過することになり、この信号がノイズの時はウエイクアップしないが、先に示した幅広のガイドパルスの時は、制御用マイコン３０は、ウエイクアップモードとなり、端子Ｔ2よりフィルタ制御信号が出力され、スイッチ２４は、接点Ｓ2側に切り替わる。そして、後続するリモコン操作信号は、受光部１１からフィルタ部２０を通らずに直接制御用マイコン３０に端子Ｔ1を介して入力される。ウエイクアップした後にパワーオン又はリモコン操作モードになる点、及びパワーオフ後のフィルタ部のオン／オフは前記図２に示したフローと同一動作となる。
【００２３】
図８、図９は、本発明の第５の実施の形態を示し、図８は、遠隔制御受信装置の回路図の中で、受光部１１と制御用マイコン３０の周辺の回路図のみを示し（他は第１の実施の形態と同様なので、省略する）、図９は、制御用マイコンのフローを示すフローチャートである。
【００２４】
第５の実施の形態の第一の特徴点は、図８に示されるように、フィルタ部２０が容量の違うコンデンサＣ1、Ｃ2を有し、ノイズに対してフィルタの機能を強化するようにした点である（コンデンサＣ1＜コンデンサＣ2）。この２つのコンデンサＣ1、Ｃ2は、フィルタ制御端子Ｔ2a、Ｔ2bを介して制御され、例えば、個別に設置される。以下、コンデンサが有効に接続されている場合を、コンデンサがオン、フィルタ２０に接続されていない時をコンデンサがオフという。コンデンサＣ1がオン、コンデンサＣ2がオフされているモードをモード０、コンデンサＣ2がオン、コンデンサＣ1がオフしているモードをモード１とする。
【００２５】
第５の実施の形態の第二の特徴点は、スタンバイ状態のスリープモードからウエイクアップした時点で、制御用マイコン３０のクロック３１の周波数を、１／２又は１／３に落とし、パワーオンした時点で、クロック周波数を通常に戻すことで、制御用マイコンを省電力動作させる点である。
【００２６】
上記２つの特徴点は、別個に実施しても効果を奏し得るが、説明は、同時に実施した形態として以下に説明する。
【００２７】
図８、９によって、第５の実施の形態を説明する。
制御用マイコン３０は、初期設定状態として、ステップＳ５１でコンデンサＣ1がオンしているフィルタモード０に設定されると共に、ステップＳ５２でメイン電源オフ（パワーオフ）の待機状態であるスリープモードに設定され、そしてステップＳ５３でリモコンからのリモコン信号待機状態となっている。このスリープモードの時、制御用マイコン３０は、クロック停止の状態にあり、外部入力割込用端子Ｔ5がウエイクアップ信号（リモコンのガイドパルス信号）のみ認識するようになっている。受光部１１から信号が入力され、フィルタ２０を通過した信号が、端子Ｔ5に入力され、制御用マイコン３０がウエイクアップ信号と認識すると、ステップＳ５４でウエイクアップモードになり、ステップ５４でクロック周波数はギヤダウンし、通常の周波数の１／２又は１／３になり、省電力モードになる。
【００２８】
ステップＳ５６では、その後、正規のリモコン信号が続けて入力され、ステップＳ５８でパワーオン信号があると判断されると、ステップＳ５９、６０でリレースイッチがオンされ、クロック周波数は通常の周波数に戻る。図９に示すように、続いてステップＳ６１でパワーオフ信号がないと判断されているときは、ステップＳ６３〜Ｓ６１を巡回し、パワーオフ信号があると判断されると初期のステップＳ５２に戻る。
【００２９】
ステップＳ５３で、制御用マイコン３０にウエイクアップ信号が入力されたと認識されてもも、ステップ５６においてノイズだけ検出され、リモコン信号が続けて入力されないと判断されると、先のウエイクアップ信号はノイズと判別し、ステップＳ５７でフィルタ機能を強化したフィルタモード１に設定して、クロックが停止するスリープモードに戻る。したがって、この実施の形態の場合は、ノイズレベルに対応してウエイクアップの判断を変更することができるため、ノイズによる誤動作を更に改善させることができる。
【００３０】
フィルタモードは、コンデンサを追加することにより、モード０、モード１、……、モードｎと順次フィルタを強くする複数モードでもよい。また、モード０はフィルタ無しとしてもよい。
【００３１】
本発明の実施の態様としては、フィルタ部はローパスフィルタの他、パルス幅分別による回路を使用しても良い。
【００３２】
また、スリープモードのときは、受光部１１の周波数特性を低く抑えるようにコントロールして、フィルタ効果を出すことでフィルタ回路をなくすこともできる。
【００３３】
【発明の効果】
本発明は、電子機器のリモコン制御によってスタンバイ時の電力を削減するスリープモードに設定において、受光部から入力されたリモコン信号がフィルタを通して制御用マイコンに入力されるので、外光ノイズによるウエイクアップを防止し電力削減をより確実に行うことができると共に、通常のウエイクアップ状態では、フィルタを解放しているので、リモコン操作を確実に行うことができる。
【００３４】
また、フィルタを複数設け、ノイズにより誤作動が起きた場合フィルタを強化するように切換えることにより、電子機器の置かれている環境のノイズの状況に合うよう設定することができ、誤作動を少なくし、省電力化を達成することができる。さらに、ノイズでウエイクアップした場合でも、ウエイクアップした状態で、クロック周波数を落とすこともできるので、誤作動が起きやすい環境でも、スタンバイ時の省電力化が図れる。
【図面の簡単な説明】
【図１】図１は、本発明の第１の実施の形態の遠隔制御受信装置の回路図である。
【図２】図２は、遠隔制御受信装置の遠隔制御信号処理のフローチャートである。
【図３】図３は、第１の実施の形態のウエイクアップ時の受信信号波形図である。
【図４】図４は、本発明の第２の実施の形態の遠隔制御受信装置の一部を示した回路図を示す。
【図５】図５は、図４の第２の実施の形態の遠隔制御信号処理のフローチャートである。
【図６】図６は、本発明の第３の実施の形態の遠隔制御受信装置の一部を示した回路図を示す。
【図７】図７は、本発明の第４の実施の形態の遠隔制御受信装置の一部を示した回路図を示す。
【図８】図８は、本発明の第５の実施の形態の遠隔制御受信装置の一部を示した回路図を示す。
【図９】図９は、本発明の第５の実施の形態の遠隔制御信号処理のフローチャートである。
【符号の説明】
１０  遠隔制御受信装置、１１  遠隔制御信号受光部、２０  ローパスフィルタ、３０  制御用マイコン、３１  クロック源、４０  リレースイッチ、５０  スタンバイ用の電源、６０  ＡＣコンセント、７０  メイン電源、Ｔ1  リモコン信号入力端子（ウエイクアップ端子兼用）、Ｔ2  フィルタ制御端子、Ｔ3  リレースイッチ制御端子、Ｔ4  電源用端子、Ｔ5  外部入力割込用端子。
【図１】
0003994615.tif 000002
【図２】
0003994615.tif 000003
【図３】
0003994615.tif 000004
【図４】
0003994615.tif 000005
【図５】
0003994615.tif 000006
【図６】
0003994615.tif 000007
【図７】
0003994615.tif 000008
【図８】
0003994615.tif 000009
【図９】
0003994615.tif 000010